(57)【要約】      （修正有）【課題】発光するペン型ＵＳＢ接続携帯メモリーの提供。【解決手段】コンピュータに差し込んで接続可能なＵＳＢプラグ７が上ペン軸２に設置され、該ＵＳＢプラグが上固定片に挿入された後に更に嵌め管６と結合されて一体とされ、その一端のプリント基板２１が嵌め管と共同で上ペン軸内に挿入され、上ペン軸が短く且つ芯がないため、重量が比較的軽く、コンピュータに挿入される時にプリント基板上のＬＥＤ８１が上ペン軸のバルブ２２部分より光を発射し、組立時に安定し、ぐらつきを発生せず、接触不良による品質への影響が防止されている。【選択図】図３
0003101577.tif 000002
【実用新案登録請求の範囲】
【請求項１】
下ペン軸、上ペン軸、下ペン座、芯、スプリング、嵌め管、ＵＳＢプラグ及びプリント基板を具え、芯がスプリングに挿通された後に下ペン座のペン孔内に挿入され、下ペン座の一端にネジ部が設けられ、下ペン軸内縁にネジ孔が設けられて該ネジ部と螺合され、下ペン座を利用してスプリングを圧縮して下ペン軸内で伸縮させ、下ペン座上縁に雌ネジが設けられた発光するペン型ＵＳＢ接続携帯メモリーにおいて、
ＵＳＢプラグが嵌め管の穿孔に通された後に嵌め管と結合され、固定片がＵＳＢプラグに嵌合され且つ嵌め管内に挿入され、プリント基板が嵌め管と共同で上ペン軸の軸孔内に挿入されて位置決めされ、嵌め管の別端の外縁に雄ネジが設けられて下ペン座の雌ネジと螺合され、上ペン軸と下ペン軸が結合され、プリント基板の上端にＬＥＤが設けられ、ＵＳＢプラグがコンピュータに接続されると同時に、ＬＥＤが上ペン軸のバルブ部分を通して灯光を発射することを特徴とする、発光するペン型ＵＳＢ接続携帯メモリー。
【考案の詳細な説明】
【技術分野】
【０００１】
本考案は発光するペン型ＵＳＢ接続携帯メモリーに係り、特に、ＵＳＢ接続携帯メモリーが上ペン軸に設置され、ＵＳＢプラグがコンピュータに接続される時、上ペン軸が灯光を発射するペン型ＵＳＢ接続携帯メモリーに関する。
【背景技術】
【０００２】
電子情報技術の勃興発展により、データを保存するメモリは広く利用されるようになり、一般のコンピュータ、ノートブック型コンピュータ、ＰＤＡ、デジタルカメラ、さらには商用事務機器はいずれもデジタル技術の進歩に伴いますます大容量のメモリを使用するようになり、且つメモリの体積は市場の要求によりますます小さくなっている。
【０００３】
図１は市販されているＵＳＢ接続携帯メモリー（ＵＳＢ  Ｆｌａｓｈ  Ｄｒｉｖｅ）１００であり、このＵＳＢ接続携帯メモリー１００のＵＳＢプラグ１０１はコンピュータのＵＳＢソケット内に挿入されてデータを読み取る。しかし、このＵＳＢ接続携帯メモリー１００はデータ保存の機能のみを有し、他の方途を具備せず且つ携帯に不便である。このため図２に示されるペン型ＵＳＢ接続携帯メモリー２００が設計され、そのペンは下ペン軸２０１の上端にＵＳＢプラグ２０２が嵌め込まれ、平時に該ＵＳＢプラグ２０２は上ペン軸２０３内に延伸され、下ペン軸２０１下方の芯２０１１の外縁にキャップ２０４が組み合わされ、ペンが書写と携帯メモリーの機能を具備するものとされている。しかし、周知のペン型ＵＳＢ接続携帯メモリーには以下のような欠点がある。
１．ＵＳＢプラグ２０２が下ペン軸２０１に取り付けられ、下ペン軸２０１は比較的長く且つ芯２０１１等の部品を具えているために比較的重く、ＵＳＢプラグ２０２をコンピュータのＵＳＢソケットに挿入する時、比較的重い負担を受け、ＵＳＢプラグ２０２の接触不良を形成しやすい。
２．ＵＳＢプラグ２０２は接続された一片のプリント基板２０２１で下ペン軸２０１と結合され、コンピュータのＵＳＢソケットに挿入される時に、ぐらつき及び接触不良の状況を発生しやすい。
３．下ペン軸２０１内にＵＳＢプラグ２０２が挿入されているため、芯２０１１が特殊規格とされ、使い果たしても市場より芯を取得して交換することができず、ペン型ＵＳＢ接続携帯メモリーの筆記具としての機能が失われた。
４．下ペン軸２０１の芯２０１１の外縁にキャップ２０４を設置しなければならず、キャップ２０４と下ペン軸２０１は分離した部品であり遺失しやすい。
５．ＵＳＢプラグ２０２がコンピュータのＵＳＢソケットに挿入される時、灯光を発生して電源接触状況を表示することができない。
【考案の開示】
【考案が解決しようとする課題】
【０００４】
本考案は周知の技術の欠点を鑑み、それを改善したペン型ＵＳＢ接続携帯メモリーを提供するものである。
【０００５】
即ち、本考案の主要な目的は、一種のペン型ＵＳＢ接続携帯メモリーを提供することにあり、それは、ＵＳＢ接続携帯メモリーのＵＳＢプラグが上ペン軸内に設置され、コンピュータに接続される時のぐらつきが防止されて接触品質が向上されたほか、上ペン軸上端が灯光を発生して電源の導通状態を表示できるものとする。
【課題を解決するための手段】
【０００６】
請求項１の考案は、下ペン軸、上ペン軸、下ペン座、芯、スプリング、嵌め管、ＵＳＢプラグ及びプリント基板を具え、芯がスプリングに挿通された後に下ペン座のペン孔内に挿入され、下ペン座の一端にネジ部が設けられ、下ペン軸内縁にネジ孔が設けられて該ネジ部と螺合され、下ペン座を利用してスプリングを圧縮して下ペン軸内で伸縮させ、下ペン座上縁に雌ネジが設けられた発光するペン型ＵＳＢ接続携帯メモリーにおいて、
ＵＳＢプラグが嵌め管の穿孔に通された後に嵌め管と結合され、固定片がＵＳＢプラグに嵌合され且つ嵌め管内に挿入され、プリント基板が嵌め管と共同で上ペン軸の軸孔内に挿入されて位置決めされ、嵌め管の別端の外縁に雄ネジが設けられて下ペン座の雌ネジと螺合され、上ペン軸と下ペン軸が結合され、プリント基板の上端にＬＥＤが設けられ、ＵＳＢプラグがコンピュータに接続されると同時に、ＬＥＤが上ペン軸のバルブ部分を通して灯光を発射することを特徴とする、発光するペン型ＵＳＢ接続携帯メモリーとしている。
【考案の効果】
【０００７】
本考案の発光するペン型ＵＳＢ接続携帯メモリーは、ＵＳＢプラグが上ペン軸内に結合されて、下ペン軸内に取り付けられた周知の技術の数々の欠点を改善し、以下のような効果を達成している。
１．上ペン軸の長さは比較的短く且つ芯がないため重量が軽く、ＵＳＢプラグが上ペン軸と共にコンピュータに接続される時、安定して接触不良の状況を発生しない。
２．ＵＳＢプラグが直接嵌め管と結合され（薄いプリント基板を利用して結合するのではない）、ゆえにＵＳＢプラグがぐらつきを発生しにくく、コンピュータに接続される時、接触品質が良好である。
３．下ペン軸にはＵＳＢプラグが取り付けられていないため、下ペン軸内の芯の設計を上下に伸縮する構造とすることができ、ゆえに芯外縁を被覆するキャップ部品が不要である。
４．下ペン軸内の芯を市場で容易に取得して交換でき、書写用途を維持することができる。
５．上ペン軸の上端のバルブがプリント基板のＬＥＤの光を通して外部に発射させることにより、ＵＳＢプラグが正確にコンピュータに接続されているかを確認できる。
ゆえに本考案の実用機能は明らかであり、また本考案はその出願前に未公開であるため新規性を有し、実用新案登録の要件を具備している。
【考案を実施するための最良の形態】
【０００８】
図３、４に示されるように、本考案は下ペン軸１、上ペン軸２、下ペン座３、芯４、スプリング５、嵌め管６、ＵＳＢプラグ７及びプリント基板８が組み合わされてなる。そのうち、芯４はスプリング５に挿通された後、上半部が下ペン座３底端のペン孔３１内に挿入され、下ペン座３底端にネジ部３２が設けられ、下ペン軸１内周に設けられたネジ孔１１と組み合わされ、こうして下ペン座３のネジ部３２が下ペン軸１のネジ孔１１内に固定される（図４）。下ペン座３のネジ部３２が底までねじ込まれる時、下ペン座３がスプリング５を圧迫し並びに芯４を下圧して下ペン軸１より突出させ（図５）、もし下ペン座３が上向きに回されると、芯４が下ペン軸１内に縮入する。下ペン座３の上縁内側には雌ネジ３３がある。その特徴は以下のとおりである。
【０００９】
ＵＳＢプラグ７が嵌め管６の長方形の穿孔６２を貫通して嵌め管６と結合されて一体とされ、ＵＳＢプラグ７前端に固定片７１が嵌合されてＵＳＢプラグ７と共に嵌め管６内に挿入され（図４）、該嵌め管６とプリント基板８の情報が共同で上ペン軸２の一端が開口の軸孔２１内に位置決めされ、嵌め管６の底部外縁に雄ネジ６１が設けられ、該雄ネジ６１が下ペン座３の雌ネジ３３と螺合され、こうして上ペン軸２、下ペン軸１が結合されて一体とされる（図４）。プリント基板８の上端にはＬＥＤ８１があり、上ペン軸２の上端の対応位置にバルブ２２があり、ＵＳＢプラグ７がコンピュータに挿入される時、ＬＥＤ８１がバルブ２２部分より灯光を発射する（図７）。
【００１０】
図６に示されるように、ＵＳＢプラグ７をコンピュータのＵＳＢソケットに挿入する時には、上ペン軸２を回転させるだけで上ペン軸２底端のＵＳＢプラグを下ペン座３の座孔内より外すことができる。
【図面の簡単な説明】
【００１１】
【図１】周知のペン型ＵＳＢ接続携帯メモリーの斜視図である。
【図２】別の周知のペン型ＵＳＢ接続携帯メモリーの分解図である。
【図３】本考案の分解図である。
【図４】本考案の断面図である。
【図５】本考案の外観動作表示図である。
【図６】本考案の上ペン軸と下ペン軸分離表示図である。
【図７】本考案の実施例図である。
【符号の説明】
【００１２】
１  下ペン軸            １１  ネジ孔              ２  上ペン軸
２１  軸孔              ２２  バルブ              ３  下ペン座
３１  ペン孔            ３２  ネジ部              ３３  雌ネジ
４  芯                  ５  スプリング            ６  嵌め管
６１  雄ネジ            ６２  穿孔                ７  ＵＳＢプラグ
７１  固定片            ８  プリント基板          ８１  ＬＥＤ
１００  ＵＳＢ接続携帯メモリー                    １０１  ＵＳＢプラグ
２００  ペン型ＵＳＢ接続携帯メモリー              ２０１  下ペン軸
２０１１  芯                                      ２０２  ＵＳＢプラグ
２０２１  プリント基板                            ２０３  上ペン軸
２０４  キャップ
【図１】
0003101577.tif 000003
【図２】
0003101577.tif 000004
【図３】
0003101577.tif 000005
【図４】
0003101577.tif 000006
【図５】
0003101577.tif 000007
【図６】
0003101577.tif 000008
【図７】
0003101577.tif 000009